(57)【要約】【課題】脱衣室床の開口に、現場造作を必要とすることなく、簡単に点検口枠を取り付ける。【解決手段】点検口枠１は、脱衣室の開口に８に取り付けるものであり、枠本体３、脱衣室床７の上面に引っ掛けるための水平片４を有する上側枠２と、枠本体３と、脱衣室床７の下面に当接する当接片１５を有する下側枠１１とからなり、水平片４と当接片１５で脱衣室床７の床板２１を挟持しながら、枠本体３に上側枠２と下側枠１１を固定し、下側枠１１の枠本体３への取り付け位置を上下方向で位置調整可能とした。【選択図】    図２
2004183381.tif 000002
【特許請求の範囲】
【請求項１】
脱衣室床の開口に取り付ける点検口枠であって、方形状の枠本体と、脱衣室床の上面に引っ掛けるための水平片を有する上側枠と、脱衣室床の下面に当接する当接片を有する下側枠とからなり、前記水平片と前記当接片で脱衣室床を挟持しながら、前記枠本体に前記上側枠と前記下側枠を固定し、前記下側枠の前記枠本体への取り付け位置を上下方向で位置調整可能としたことを特徴とする点検口枠。
【請求項２】
脱衣室床の開口に取り付ける点検口枠であって、枠本体の下面に配管ヘッダーを取り付けて、前記配管ヘッダーの配管接続位置が下方に向くようにしたことを特徴とする点検口枠。
【請求項３】
請求項１又は２記載の点検口枠であって、点検口枠の脱衣室床への取り付け位置を浴室出入り口に近接して平行とし、浴室出入口と直交する方向の点検口枠の幅を脱衣室床の根太ピッチの２倍以下としたことを特徴とする点検口枠。
【発明の詳細な説明】
【０００１】
【発明の属する技術分野】
この発明は、建物の床下に配置される配管ヘッダー等の機器を点検するために床開口に取り付けられる点検口枠に関し、特に、浴室の出入り口前の脱衣室床の開口に取り付けられる点検口枠に関する。
【０００２】
【従来の技術】
浴室の出入り口前の脱衣室床は、水滴が落下して付きやすく床やその支持材である根太等が腐りやすく、この部分は腐りにくい床や取替が簡単な構造とするというニーズがある。さらに、この浴室の出入り口前の脱衣室床の床下部分は、浴室（通常の浴室でも浴室ユニットでも可）への配管ヘッダー等の機器類の設置個所として適している。
【０００３】
このようなニーズ等の下に、従来、浴室の出入り口前の脱衣室床に開口を設けて、点検口枠を設置し、この点検口枠に腐食しない床板を装着し或いは床板を取替自在に設けるとともに、点検口枠の下方に配管ヘッダー等の機器類を設置するという構造がすでに知られている。
【０００４】
図６は、浴室の出入り口４０の前の脱衣室床の点検口枠の従来例を説明する図である。図６（ａ）は浴室の出入り口４０前の脱衣室床の根太組を示し、図６（ｂ）、（ｃ）は点検口枠４１及びその取り付け構造を示す図である。土台２７上に大引き２８が設置され、その上に複数の根太２２が平行に一定の間隔（ピッチ）をおいて配設されている。又、土台２７上に浴室の出入り口４０用の２本の柱２９が立設されている。
【０００５】
点検口枠４１は、平面形状は方形をしており、図６（ｃ）に示すように上部の引っ掛け枠４２、取り付け部４３及び下部の内枠４４とから成る。この点検口枠４１を浴室の出入り口４０の前の脱衣室床７に取り付ける場合は、浴室の出入り口４０に近接する根太２２の内側且つ平行に枠用根太４５を設けるとともに、これらの枠用根太４５に直交する方向にさらに枠用根太４５を設ける。
【０００６】
そして、この枠用根太４５のさらに内側に、点検口枠４１の取り付け部４３が載置する内側根太４６を設ける。浴室の出入り口４０の前の脱衣室床７は、内側根太４６の外縁に沿って開口４７を形成しておく。点検口枠４１は、この開口４７内に装入し、引っ掛け枠４２を脱衣室床７の開口４７の縁上面に引っ掛け、内枠４４は内側根太４６に当接する。
【０００７】
ところで、このような従来例に類する構造は、すでに公知である（特許文献１参照。）。又、浴室の出入り口前の脱衣所の床に開口を設け、この床下に、給水ヘッダー、給湯ヘッダー、或いは配管の分岐部や接続部を配設する点は公知である（特許文献２〜４参照。）。浴室の出入り口前の洗面室の床に床下収納と排水配管の点検口とを兼用する収納点検部を配設する点は公知である（特許文献５参照。）。
【０００８】
【特許文献１】
実用新案登録第３０５０７５２号公報（図１、３参照。）
【特許文献２】
特開平９−７８６４４号公報（図１参照。）
【特許文献３】
実用新案登録第３０２４６３８号公報（図２参照。）
【特許文献４】
特開２００１−１７３０３５公報（図１参照。）
【特許文献５】
特開２００１−１４９２７０公報（図２参照。）
【０００９】
【発明が解決しようとする課題】
上記従来例及び特許文献１に示すような公知例では、通常の根太以外に、夫々の建物の脱衣室等の床の根太組や床の開口寸法等に合わせて、点検口枠を取り付けるための枠用根太及び内側根太等の現場造作を必要とし、その工事には手間がかかり、コストも高くなるという問題があり、又ユニット化してシステムバスに付設して使用するようなこともできない。
【００１０】
本発明は、このような問題点を解決することを目的とし、特に枠用根太や内側根太を取り付ける等の根太組の工事をしなくても、通常の根太組の床に形成した開口に、点検口枠を簡単に取り付けられ、ユニット化してシステムバスの設置と同時に設置可能な構造の点検口枠を実現することを課題とする。
【００１１】
特に、本発明は、床の根太や開口寸法等が各建物夫々異なっても、点検口枠側できめ細かく調整でき、又、点検口枠自体の重量、床の重量等にも十分な強度を有するようにすることを課題とする。
【００１２】
又、上記特許文献２〜４では、床下に給水ヘッダー、給湯ヘッダー、或いは配管の分岐部や接続部を配設しているが、点検口枠のすぐ下に配設されているから、点検作業をする際に作業者が入り込んだり、腕を動かしたりするスペースがなく作業性の点ではさらに改善の余地がある。
【００１３】
本発明は、このような問題点を解決することを目的とし、点検口枠の下方の床下に被点検物である配管ヘッダーや配管等を、点検しやすく、整然と互いに干渉しないように配置可能な点検口枠を実現することを課題とする。
【００１４】
又、上記特許文献５では、床下に収納点検部を設けているが、この収納点検部内に排水配管等の被点検物を設けているので、収納スペースが被点検物のために狭くなり、十分な収納ができない。又、点検作業も物が収納されているとじゃまとなってしにくいと言う問題がある。
【００１５】
本発明は、このような問題点を解決することを目的とし、点検口枠の下方の床下収納と、被点検物である配管ヘッダー配管等が互いに干渉しないような配置に工夫し、物を収納しやすく、しかも点検時にも収納物がじゃまとならないような点検口枠を実現することを課題とする。
【００１６】
【課題を解決するための手段】
本発明は上記課題を解決するために、脱衣室床の開口に取り付ける点検口枠であって、方形状の枠本体と、脱衣室床の上面に引っ掛けるための水平片を有する上側枠と、脱衣室床の下面に当接する当接片を有する下側枠とからなり、前記水平片と前記当接片で脱衣室床を挟持しながら、前記枠本体に前記上側枠と前記下側枠を固定し、前記下側枠の前記枠本体への取り付け位置を上下方向で位置調整可能としたことを特徴とする点検口枠を提供する。
【００１７】
さらに、本発明は上記課題を解決するために、脱衣室床の開口に取り付ける点検口枠であって、枠本体の下面に配管ヘッダーを取り付けて、前記配管ヘッダーの配管接続位置が下方に向くようにしたことを特徴とする点検口枠を提供する。
【００１８】
点検口枠の脱衣室床への取り付け位置を浴室出入り口に近接して平行とし、浴室出入口と直交する方向の点検口枠の幅を脱衣室床の根太ピッチの２倍以下としてもよい。
【００１９】
【発明の実施の形態】
本発明に係る点検口枠の実施の形態を実施例に基づいて、図面を参照して以下に説明する。
【００２０】
脱衣室における浴室ドア前の浴室出入り口付近の床は、水滴で濡れやすく、床及びその下の根太等の建築構造物も濡れて腐ってしまうおそれがある。本発明に係る点検口枠は、このような脱衣室の床の濡れやすい個所に、腐りにくい部材から成る蓋兼用床板を支持するための口枠として機能するものであり、構造及びその取付構造が簡単なものであることを特徴とする。
【００２１】
そして、本発明に係る点検口枠は、浴室の給水及び給湯等の設備（例．給水ヘッダー、給湯ヘッダー等）やその配置、さらに脱衣室の収納機能等を考慮して、単に床板を支持するための口枠としてではなく、浴室の給水及び給湯等の設備の点検用の口枠や脱衣室の床下収納庫の口枠ともなる。
【００２２】
（実施例１）
図１、２は、本発明に係る点検口枠の実施例１を説明する図である。この点検口枠１は、上側枠２、枠本体３及び下側枠１１から成る。図１（ａ）は、実施例１の点検口枠１を上方の上側枠２と、下方の枠本体３及び下側枠１１とに分解した状態を示す図であり、図１（ｂ）は上側枠２の部分拡大図である。図１（ｃ）は枠本体３と下側枠１１の部分拡大図である。図１（ｄ）は上側枠２と、分解された状態の枠本体３と下側枠１１を示す図である。
【００２３】
上側枠２は、蓋兼用床板（図示せず。）を取り外し自在に嵌合することができるものであって、全体的にはその平面形状は方形であり、水平片４、取付部５及び垂直片６が、図１（ｂ）に示すように、ほぼクランク状の断面形状となって一体に形成されている。
【００２４】
水平片４は、図２（ａ）、（ｂ）に示すように、脱衣室床７の開口８の縁１２の上面に当接して引っ掛けることができるようにフック状に形成されており、取付部５には、ネジ９を螺合するネジ孔１０が垂直方向に形成されている。又、垂直片６は後述する枠本体３の内面に当接するように形成されている。
【００２５】
枠本体３は、全体的な平面形状は上側枠２同様に方形状であり、図１（ａ）、（ｂ）に示すように、この枠本体３から嵌合する下側枠１１がネジ１３で固定されている。枠本体３は、断面方形のパイプで形成されており、その上面及び外側面には、夫々ネジ孔１４が形成されている。
【００２６】
下側枠１１は、当接片１５と垂直部１６からＬ型の断面形状で一体に形成されている。当接片１５は、脱衣室床７の開口８の縁１２の下面に当接し脱衣室床７を下から支持するように機能するものである。下側枠１１の垂直部１６には、垂直方向に間隔をおいて複数のネジ孔１７が形成されている。この複数のネジ孔１７を選択してネジ１３を螺着することにより、下側枠１１を枠本体３の外側面にその取付高さを調整して図１（ａ）のように固定することができる。
【００２７】
なお、この取付高さの調整は、複数のネジ孔１７ではなく、垂直部１６の上下方向に取付位置調整用の長孔（図示しない。）を形成してネジ１３の固定位置を調整できるようにしてもよいし、当接片１５と脱衣室床７の開口８の縁１２の下面との間に高さ調整用のスペーサを枚数を調整して配置する構成としてもよい。又、この調整高さは本実施例では、通常の床厚みの１２ｍｍ程度から防音仕様の床厚みの５０ｍｍ程度まで対応できるものとなっている。
【００２８】
枠本体３には、その４隅の下面に夫々垂直に脚１８が取り付けられている。この脚１８は、図１（ｄ）に示すように大径上部１９と小径下部２０とが互いに螺着し、或いは入れ子式で全長が調整可能な構成となっている。なお、入れ子式の場合は、大径上部と小径下部を互いに伸縮可能で、長さを調節してその長さで周知の固定手段で固定可能な構成とする。
【００２９】
図２において、実施例１の点検口枠１を脱衣室床７の開口８に取り付けて組み立てる取付構造を説明する。図２（ａ）は、取り付ける前の状態を示す図であり、図２（ｂ）は点検口枠１を脱衣室床７の開口８に取り付けて組み立てた状態を示す図である。図２（ａ）において、脱衣室床７の床板２１は、複数の根太２２上に載置され支持されているが、二本の根太２２、２２間の床板２１が除去されて脱衣室床７の開口８が形成されている。
【００３０】
枠本体３は、脱衣室床７の開口８の下方において、４本の脚１８を付設し、この脚１８を建物の基礎面２３上に立設して、下側枠１１の当接片１５を脱衣室床７の開口８の縁１２の下面に当接し、点検口枠１を下から支持するように設置する。この場合、脚１８の長さを調整するとともに、枠本体３に対する下側枠１１の上下方向の取付位置を複数のネジ孔１７を選択してネジ１３で固定することにより、下側枠１１の取付高さを調整することができる。
【００３１】
これにより、従来例のように、特に点検口枠支持用の根太を設けなくても、点検口枠１を支持するとともに、脱衣室床７の開口８の縁１２の部分の床板２１を脱衣室床７の高さに支持することができる。
【００３２】
上側枠２は、図２（ａ）に示すように、脱衣室床７の開口８の上方から、上側枠２が枠本体３の内側に嵌合するように嵌め込む。これにより、垂直片６が枠本体３の内面に当接し、取付部５は枠本体３に載置し、水平片４は、脱衣室床７の開口８の縁１２の上面に当接して引っかかる状態となる。
【００３３】
この状態において、取付部５のネジ孔１０から枠本体３の上面のネジ孔１４にネジ９を螺入して上側枠２を枠本体３に固着する。この点検口枠１に、蓋兼用床板（図示省略）を嵌合して設けることができる。この場合、ネジ９で、蓋兼用床板も上側枠２とともに枠本体３に固着するようにしてもよい。
【００３４】
このような構成により、脱衣室床７の開口８の縁１２を、上側枠２の水平片４と下側枠１１で挟持し枠本体３に固定して、支持することができる。この結果、従来の点検口枠１専用の枠用根太等の現場造作を必要とすることなく、脱衣室床７及び点検口枠１の重量を４本の脚１８により支えることができる。
【００３５】
さらに、建物の基礎面２３に高低があり脱衣室床７までの高さが部分的に異なっていても、脚１８の長さを調節することにより床板２１を水平に支持できる。さらに、根太２２等の造作精度が良くなくても、下側枠１１の取付高さを調整することで、脱衣室床７の開口８の縁１２の高さ及び口枠１に嵌められる蓋兼用床板を、脱衣室床７の全体的な高さと同じ高さ且つ水平に支持することができる。
【００３６】
なお、点検口枠１は、上述のように腐食防止用の床板の支持、且つ浴室の給湯等設備の点検用に利用してもよいし、さらに床下収納庫取り付け用として利用してもよい。これらの用途については後述する実施例２、３でさらに説明する。
【００３７】
（実施例１の変形例）
図３は、実施例１の変形例であり、図３（ａ）は脱衣室床７に取り付ける前の状態を示し、図３（ｂ）、（ｃ）は枠本体３、下側枠１１及び根太の要部拡大図であり、図３（ｄ）は脱衣室床７に取り付けた状態を示す図である。
【００３８】
この変形例の点検口枠２４は、上記実施例１の点検口枠１と同様に、上側枠２、枠本体３及び下側枠１１とから成る。点検口枠２４の上側枠２は上記実施例１と同じ構成であるが、上記実施例１の枠本体３において脚１８を付設しない構成に相当する。このように、上記実施例１とほぼ同じ構成であるから、その特徴とする構成のみ説明する。
【００３９】
この変形例の点検口枠２４の枠本体３は、脚１８を付設していないので、その下側枠１１の当接片１５を建家の根太２２に直接当接して引っ掛けるようにして取り付け、これによって、点検口枠２４の重量を支持する構成である。
【００４０】
この場合、根太２２の上面であって下側枠１１が載置され当接する部分を、図３（ｂ）に示すように、下側枠１１の当接片１５の厚さに相当する深さだけ切り込み２２’を形成しておくことにより、脱衣室床７の下面と根太２２との間に隙間が形成されることなく密着して取り付けられることができる。
【００４１】
上側枠２は、脱衣室床７の開口８の上方から、上側枠２が枠本体３の内側に嵌合するように嵌め込み、脱衣室床７の開口８の縁１２の部分の床板２１を上側枠２と下側枠１１で上下から挟持するようにして枠本体３に固定し、点検口枠２４を図３（ｃ）に示すように、脱衣室床７の開口８に取り付けることができる。この変形例によれば、建家の根太２２の間隔が点検口枠２４の寸法に適合している場合は、特に脚１８を設けることなく、点検口枠２４を脱衣室床７の開口８に取り付けることができる。
【００４２】
（実施例２）
図４は、本発明に係る点検口枠１の実施例２を説明する図である。図４（ａ）は、脱衣室床７の開口８に、点検口枠１及び配管ヘッダー（給水ヘッダー、給湯ヘッダー）が取り付けられた状態を示す図であり、図４（ｂ）は図４（ａ）のＡ−Ａ方向に見た図である。図４（ｃ）は図４（ｂ）の要部拡大図である。
【００４３】
図４（ａ）において、浴室２５と脱衣室２６との間を仕切る土台２７が形成されており、この土台２７上に大引き２８が配置されており、この土台２７上に浴室ドアの枠を構成する柱２９が立設されている。浴室２５の土台２７に直交するように脱衣室２６の土台２７が配置されており、この土台２７上に大引き２８が配置され、この大引き２８上に直交するように複数本の根太２２が平行に配置されている。
【００４４】
脱衣室２６における浴室ドアの入口付近の根太が取り除かれて脱衣室床７の開口８が形成されている。この脱衣室床７の開口８の縁１２の部分の床板２１を上側枠２と下側枠１１で上下から挟持するようにして枠本体３に固定し、点検口枠１が取り付けられる。この点検口枠１自体の構成は、実施例１と同じであり、脚１８により支持される構造のものである。
【００４５】
この点検口枠１の内側には床下収納ボックス３０が装着して取り付けられている。図４（ｃ）に示すように、床下収納ボックス３０の上縁に形成されたフック状の縁部３１が、点検口枠１の上側枠２の垂直片６の上端に係合することにより点検口枠１に引っ掛けて着脱自在に取り付けられる。
【００４６】
枠本体３の左側（浴室２５のドアに向かって左側であり、図４（ｂ）左側。）の枠の下面に、取付杆３２を介して給水ヘッダー（給水用の配管ヘッダー）３３が取り付けられている。枠本体３の右側（浴室のドアに向かって右側であり、図４（ｂ）右側。）の枠の下面に、取付杆３２を介して給湯ヘッダー（給湯用の配管ヘッダー）３４が取り付けられている。
【００４７】
この場合、図４（ｂ）に示すように、給水ヘッダー３３及び給湯ヘッダー３４は、床下収納ボックス３０の左右外側に位置するよう配置されている。点検口枠１の下方の浴室２５のドアに向かって前後方向には（点検口枠１を構成する部分のうち前後の部分の下方には）、家屋の修繕その他必要に応じて床下収納ボックス３０を取り出してから床下へ人が入り込むスペース３５を確保している。
【００４８】
そして、給水ヘッダー３３の給水配管３６の接続位置（給水配管接続部）３７及び給湯ヘッダー３４の給湯配管３８の接続位置（給湯配管接続部）３９は、夫々下方に向くように形成されている。給水ヘッダー３３及び給湯ヘッダー３４には、給水配管３６及び給湯配管３８が下方かつ湾曲状に向くようにして、床下収納ボックス３０の下方を通り、給水源及び給湯源（図示省略）の方向に向けて自由に配設することができる。
【００４９】
もし床下収納ボックス３０が給水配管３６及び給湯配管３８のじゃまになるような場合は、床下収納ボックス３０を、底の浅いものとするか、又は装着せずに不使用とすればよい。
【００５０】
給水ヘッダー３３及び給湯ヘッダー３４の取付位置は、脱衣室床７のすぐ下であるから、この取付位置と基礎面２３との間の空間は、給水配管３６及び給湯配管３８の許容曲げ半径以上十分確保でき、これらの配管３６、３８をスムースに湾曲状に曲げることができ、強制的に折り曲げて通水を阻害するようなことはなく、又これらの配管３６、３８を複雑に引き回す必要がないので、施工性が向上する。
【００５１】
点検口枠１に、床下収納ボックス３０、給水ヘッダー３３及び給湯ヘッダー３４を、以上説明したような配置で設けることにより、給水ヘッダー３３及び給湯ヘッダー３４は、床下収納ボックス３０と互いに干渉してじゃまにならないように共存して設けることができる。
【００５２】
又、点検作業をする者が点検のために床下収納ボックス３０を引き上げて取り外すと、点検口枠１の下方に給水ヘッダー３３及び給湯ヘッダー３４を見ることができ、又作業者が点検口枠１から床下にアクセスすることができるので、点検等の作業を容易にすることができる。
【００５３】
さらに、給水ヘッダー３３及び給湯ヘッダー３４は、点検口枠１の下方に配置されるから、外側に大きくはみ出るようなことがなく、家屋を構成する他の部材等と干渉することがない。なお、給水ヘッダー３３及び給湯ヘッダー３４は、点検口枠１の左右に振り分けるのではなく、左右前後のうち一箇所（例えば、「左」）に集中して配置すれば、作業者の作業空間をさらに広げるように確保することができる。
【００５４】
この実施例２では、点検口枠１の下方左右に給水ヘッダー３３と給湯ヘッダー３４を設ける構成について説明したが、点検口枠１の下方には、暖房配管ヘッダー若しくは浴槽追焚配管、又はシステムバス、洗面、洗濯機等の排水配管若しくはその分岐機能等、その他の機器、配管類をさらに設けてもよい。
【００５５】
（実施例３）
図５は本発明の実施例３を説明する図である。この実施例３は、実施例１と同じ点検口枠１の脱衣室床７への取付配置又は取付方法に係る構成である。図５（ａ）は浴室２５に隣接する脱衣室床７の平面図であり、図５（ｂ）は図５（ａ）のＡ−Ａ断面図である。
【００５６】
図５（ｂ）に示すように、土台２７上に大引き２８が水平に固定されている。このような大引き２８は、図５（ａ）に示すように平面的に配置されており、脱衣室床７及び浴室２５を画成している。さらに脱衣室床７の中央部にも大引き２８が配置されている。このような大引き２８上に複数の柱が立設されているが、図５（ａ）、（ｂ）に示す２本の柱２９、２９により浴室の出入り口４０が形成されている。
【００５７】
浴室２５の出入り口４０の大引き２８と脱衣室床７の図中右側の大引き２８の間であって、図５（ａ）中に左右方向に延びる大引き２８上に、この大引き２８と直交する方向に複数の根太２２が平行に配置されている。これらの根太２２のうち、浴室２５の出入り口４０に最も近接して配置された根太２２について、浴室２５の出入り口４０の前の部分（図５（ａ）中、根太２２の想像線で示される部分）について切除（又は建築時に配置しない。）し、脱衣室床７の床の開口８を形成する。この開口８に実施例１と同じ構成の点検口枠１が設置され、点検用のスペースが形成される。
【００５８】
ところで、浴室２５の出入り口４０の大引き２８と脱衣室床７の図中右側の大引き２８の間に平行に配列された複数の根太２２は、一定の間隔（これを本明細書では「根太ピッチｐ」という。）で配列されている。点検口枠１の設置される開口８は、浴室２５の出入り口４０の大引き２８と浴室２５の出入り口４０に２番目に近接した根太２２との間で形成される。
【００５９】
従って、この開口８に設置される点検口枠１について、浴室２５の出入り口４０へ出入りする方向の幅（図５（ａ）中、左右方向の幅）は、根太ピッチｐの２倍以下の寸法で形成されればよい。一定の規格で建築される住宅に関しては予め根太ピッチｐが決まっているので、点検口枠１はこの根太ピッチｐに対応して予め製造することができる。なお、浴室２５の出入り口４０の方向に対応する点検口枠１の幅（図５（ａ）中、前後方向の幅）は、出入り口４０の横幅（例えば、半間）以下の寸法に決めておけばよい。
【００６０】
以上、本発明に係る点検口枠の実施形態を実施例に基づいて説明したが、本発明は特にこのような実施例に限定されることなく、その他、特許請求の範囲記載の技術的事項の範囲内でいろいろな実施例があることはいうまでもない。
【００６１】
【発明の効果】
以上の構成から成る本発明に点検口枠によると次のような効果が生じる。
（１）脱衣室床の開口の縁を点検口枠の上側枠と下側枠で挟持し、しかも４本の脚により支える構成とすることで、現場造作を必要とすることなく、簡単に点検口枠を取り付けることができる。
（２）根太組の造作精度が良くなくても、又建物基礎面が凹凸があっても、当接片の取付高さを調整し、脚を調節することにより、脱衣室床の開口の縁と高さが一致するように点検口枠を取り付けることができる。
【００６２】
（３）点検口枠に、床下収納ボックスと、給水ヘッダーや給湯ヘッダーを互いに干渉してじゃまにならないように共存して設けることができ、給水ヘッダーや給湯ヘッダーに取り付ける配管類は、その許容曲げ半径以上十分確保でき、配管はスムースに曲げることができ、配管を引き回すようなことがなく施工性が向上する。又、給水ヘッダー及び給湯ヘッダー、又はその配管類は、点検口枠から外側に大きくはみ出るようなことがなく、建築構造物の他の部材等と干渉しない。
【００６３】
（４）点検作業をする者は、床下収納ボックスを取り外せば、点検口枠が簡単に点検できるとともに、必要に応じて作業者が点検口からアクセスすることができるので、点検等の作業が容易にすることができる。
（５）根太組が多様であっても規格化された点検口枠を容易に取り付けることができ、又、一定の規格で建築される住宅については、予め根太組の構造や根太ピッチ等を考慮して点検口枠を製造すれば、点検口枠が量産できコスト安となる。
【図面の簡単な説明】
【図１】本発明に係る点検口枠の実施例１の細部を説明する図である。
【図２】本発明に係る点検口枠の実施例１の床への取付を説明する図である。
【図３】本発明に係る点検口枠の変形例を説明する図である。
【図４】本発明に係る点検口枠の実施例２を説明する図である。
【図５】本発明に係る点検口枠の実施例３を説明する図である。
【図６】従来例を説明する図である。
【符号の説明】
１、２４  点検口枠
２  点検口枠の上側枠
３  点検口枠の枠本体
４  上側枠の水平片
５  上側枠の取付部
６  上側枠の垂直片
７  脱衣室床
８  脱衣室床の開口
９、１３  ネジ
１０、１４、１７  ネジ孔
１１  下側枠
１２  縁
１５  下側枠の当接片
１６  下側枠の垂直部
１８  脚
１９  脚の大径上部
２０  脚の小径下部
２１  床板
２２  根太
２２’切り込み
２３  建物の基礎面
２５  浴室
２６  脱衣室
２７  土台
２８  大引き
２９  柱
３０  床下収納ボックス
３１  床下収納ボックスの上縁
３２  取付杆
３３  給水ヘッダー
３４  給湯ヘッダー
３５  床下へ人が入り込むスペース
３６  給水配管
３７  接続位置（給水配管接続部）
３８  給湯配管
３９  接続位置（給湯配管接続部）
４０  浴室の出入り口
４１  点検口枠
４２  点検口枠の上部の引っ掛け枠
４３  点検口枠の取り付け部
４４  点検口枠の下部の内枠
４５  枠用根太
４６  内側根太
４７  開口
【図１】
2004183381.tif 000003
【図２】
2004183381.tif 000004
【図３】
2004183381.tif 000005
【図４】
2004183381.tif 000006
【図５】
2004183381.tif 000007
【図６】
2004183381.tif 000008